(57)【要約】イジェクタ８と連繋するイジェクタ押ボタン６を有する交換式ピペットチップ組立体をピペット本体に配設する。そして、イジェクタ押ボタン６に押ボタン歯付棒９を備え付けると共に、イジェクタ押出子７に押出子歯付棒１０を備え付け、ピペット本体内に、押ボタン歯付棒９と噛合する押ボタン歯車１１と、押出子歯付棒１０と噛合する押出子歯車１２とを配設する。そして、両歯車１１，１２を相互に接合して、ハンドル１に強固に固定された共通回転軸１３を中心に両歯車１１，１２が同じ回転運動を行うようにした。
2006528546.tif 000002
【特許請求の範囲】
【請求項１】
イジェクタと連繋するイジェクタ押ボタンを具備し、ピペット本体に配設される交換式ピペットチップイジェクタ組立体において、
イジェクタ押ボタン６が押ボタン歯付棒９を具備すると共に、イジェクタ８がイジェクタ歯付棒を具備しており、
また、ピペット本体内には、押ボタン歯付棒９と噛合する押ボタン歯車１１と、イジェクタ歯付棒と噛合するイジェクタ歯車が配設され、
さらに、両歯車は、ハンドル１に強固に固定された共通回転軸１３を中心に同じ回転運動を行うように相互に接合されていることを特徴とする交換式ピペットチップイジェクタ組立体。
【請求項２】
押ボタン歯車１１の歯数が、イジェクタ歯車の歯数よりも大きいことを特徴とする請求項１記載の交換式ピペットチップイジェクタ組立体。
【請求項３】
イジェクタと連繋するイジェクタ押ボタンを具備し、ピペット本体に配設される交換式ピペットチップイジェクタ組立体において、
イジェクタ押ボタン６が押ボタン歯付棒９を具備すると共に、イジェクタ押出子７が押出子歯付棒１０を具備しており、
また、ピペット本体内には、押ボタン歯付棒９と噛合する押ボタン歯車１１と、イジェクタ歯付棒１０と噛合するイジェクタ歯車１２が配設され、
さらに、両歯車１１，１２は、ハンドル１に強固に固定された共通回転軸１３を中心に同じ回転運動を行うように相互に接合されていることを特徴とする交換式ピペットチップイジェクタ組立体。
【請求項４】
押ボタン歯車１１の歯数は、押出子歯車１２の歯数よりも大きくなっていることを特徴とする請求項３記載の交換式ピペットチップイジェクタ組立体。
【発明の詳細な説明】
【技術分野】
【０００１】
本発明は、交換式ピペットチップイジェクタ組立体に関する。
【背景技術】
【０００２】
特許文献１には、交換式ピペットチップを取り外すための装置が開示されている。その中では、ピペットの下端は円錐型をなしており、そこに交換式ピペットチップを装着するようになっている。また、当該装置は、ピペット本体内に形成された通路内に配置されてピペット軸と平行にスライドするロッドと、該ロッドの上下移動を容易にする部材と、ロッドを下方に付勢するバネとを内蔵している。さらに、装置は、上側部、中央部、下側部により構成される分離可能なイジェクタを備える。このイジェクタの上側部はロッドの下部と連結しており、中央部はピペット近傍に配置される。一方、下端部は案内形状をなすと共に、円筒形のピペット下端部の、円錐状部分近傍を囲む取外部材を備える。この取外部材の下端は、ピペット下端に装着された交換式ピペットチップの上端に達していない。また、ロッドの上部には押ボタンを備えられている。この押ボタンを押すと、取外部材が下方にスライドして交換式ピペットチップが取り外される。
【０００３】
同様に、特許文献２には細長形状のチップイジェクタを備えるピペットが開示されている。その中では、ピペット本体に沿って摺動して本体下端に装着されたチップをそこから取り外すイジェクタがピペット本体に具備されている。このイジェクタ上端の拡大部分には、イジェクタを本体に沿ってスライドさせるためのアームが配設され、本体側部から張り出した手動リンク機構が要素を介して該アームと連繋している。かかる構成によれば、本体からチップを外すのに要する力より少ない力によってアームとイジェクタ機構を手動で押し下げて、本体からチップを取り外すことができる。そこでは、アーム上にレバーが水平面上を移動自在に枢支されると共に、該レバーの内側端部が、レバーが押された時に、その内側端部が本体上で下方へ強制的に移動するように本体側部に連結されている。
【０００４】
【特許文献１】米国特許３，９９１，  ６１７号明細書
【特許文献１】米国特許５，４３５，  １９７号明細書
【発明の開示】
【課題を解決するための手段】
【０００５】
本発明に係る交換式ピペットチップイジェクタ組立体は、イジェクタと連繋するイジェクタ押ボタンを備え、ピペット本体に配設されるものであるが、その本質は、イジェクタ押ボタンが押ボタン歯付棒を具備すると共に、イジェクタがイジェクタ歯付棒を具備しており、また、ピペット本体内には、押ボタン歯付棒と噛合する押ボタン歯車と、イジェクタ歯付棒と噛合するイジェクタ歯車とが配設されており、さらに、両歯車が、ハンドルに強固に固定された共通回転軸を中心に同じ回転運動を行うように相互に接合されていることである。
【０００６】
なお、かかる構成にあっては、押ボタン歯車の歯数がイジェクタ歯車の歯数よりも大きいことが望ましい。
【０００７】
また、本発明に係る交換式ピペットチップイジェクタ組立体の変形は、イジェクタと連繋するイジェクタ押ボタンを備え、ピペット本体に配設されるものであるが、その本質は、イジェクタ押ボタンが押ボタン歯付棒を具備すると共に、イジェクタ押出子が押出子歯付棒を具備しており、また、ピペット本体内には、押ボタン歯付棒と噛合する押ボタン歯車と、押出子歯付棒と噛合する押出子歯車とが配設されており、両歯車が、ハンドルに強固に固定された共通回転軸を中心に同じ回転運動を行うように相互に接合されていることである。
【０００８】
なお、かかる構成にあっては、押ボタン歯車の歯数がイジェクタ歯車の歯数よりも大きいことが望ましい。
【発明の効果】
【０００９】
本発明によれば、交換式ピペットチップの取り外しに要する力を軽減できる。
【発明を実施するための最良の形態】
【００１０】
本発明の好ましい実施形態を、その一実施例を示す添付図面を参照して詳細に説明する。
【００１１】
イジェクタ組立体は、図１に示すように、ピペット本体にセットされている。ピペット本体は、その上部にハンドル１を備えている。また、その下部には交換式ピペットチップ３が装着されたシャフト２を備える。ピペットハンドル１の内部には、吸引／分配量を設定するための開放ツマミ４が配設されている。さらに、ハンドル１の上部には、ピペッティング押ボタン５とイジェクタ押ボタン６が配設されている。イジェクタ押ボタン６は、ハンドル１内に配設されるイジェクタ押出子７を介してイジェクタ８に連繋されている。このイジェクタ８の下部は交換式チップ３が装着されたシャフト２を取り囲んでいる。
【００１２】
本発明に係るイジェクタ組立体にあっては、イジェクタ押ボタン６が押ボタン歯付棒９を具備している。また、イジェクタ押出子７がイジェクタ歯付棒１０を具備している。そして、ハンドル１内には、押ボタン歯付棒９と噛合する押ボタン歯車１１と、イジェクタ押出子７と噛合する押出子歯車１２とが配設される。これらの歯車１１，１２は相互に接合されており、ハンドル１に強固に固定された共通回転軸１３を中心に同じ回転運動を行うようになっている。
【００１３】
ピペットを用いて液体を取り込むためには、ハンドル１内部に配設された吸引・分注機構と連繋するピペッティング押ボタン５の押し下げと解放によって交換式チップ３内に液体が吸引される間、チップ３をシャフト２に装着しておかねばならない。そして、液体を吸引して分注した後は、汚れたピペットチップ３をシャフト２から取り除く必要がある。
【００１４】
こうした目的でイジェクタ押ボタン６が押されると、押ボタン歯付棒９が、押ボタン歯車１１及び押出子歯車１２を支軸を中心に回転させる。要するに、押出子歯付棒１０と噛合する押出子歯車１２の回転によって、イジェクタ８が交換式ピペットチップ３の方向へ移動して、交換式ピペットチップ３が外れるのである。
【００１５】
また、交換式ピペットチップ３の取外しに要する力を軽減するために、押ボタン歯車１１の歯数は、押出子歯車１２の歯数よりも大きくなっている。このため、イジェクタ８の移動する道程（区間ｂ）はイジェクタ押ボタン６の道程（区間ａ）よりも短かくなっており、同時に、押ボタン６に与える押圧力の大きさ（図中Ｆ）がピペットチップ３を取り外すのに要する力（図中Ｗ）よりも小さくなっている。この区間  （ｂ／ａ）  と力  （Ｆ／Ｗ）の相関は、押出子歯車１２の歯数と押ボタン歯車１１の歯数の比率に依存している。
【図面の簡単な説明】
【００１６】
明細書中に取り入れられ、その一部分を構成する添付図面は、本発明の好ましい実施例を明示するものであって、その記述と合わせて、本発明の本質を説明するために役立つものである。
【図１】本発明に係る交換式チップイジェクタを有するピペットの概観図であり、（ａ）は交換式チップの装着状態を示し、（ｂ）はチップを取り外す時の状態を示す。
【図１】
2006528546.tif 000003
【国際調査報告】
2006528546.tif 000004
2006528546.tif 000005